(57)【要約】【課題】無効化処理を直ちに実施することが好ましい商品券とそうでない商品券とが混在している場合において、無効化処理の実施の有無を自動的に切り換えることができるような紙葉類処理装置及び紙葉類処理方法を提供すること。【解決手段】本発明は、紙葉類が投入される投入部と、投入された紙葉類の各々を識別する識別部と、識別された紙葉類を搬送しながら分類する搬送分類機構と、分類された紙葉類が集積される複数の集積部と、紙葉類の種別と無効化処理の実施の有無との対応付けを記憶する記憶部と、前記記憶部に記憶された対応付けに基づいて、所定の種別の紙葉類に対して物理的に無効化処理を実施する無効化処理部と、を備えたことを特徴とする紙葉類処理装置である。【選択図】図１２
2018055703.tif 000002
【特許請求の範囲】
【請求項１】
紙葉類が投入される投入部と、
投入された紙葉類の各々を識別する識別部と、
識別された紙葉類を搬送しながら分類する搬送分類機構と、
分類された紙葉類が集積される複数の集積部と、
紙葉類の種別と無効化処理の実施の有無との対応付けを記憶する記憶部と、
前記記憶部に記憶された対応付けに基づいて、所定の種別の紙葉類に対して物理的に無効化処理を実施する無効化処理部と、
を備えたことを特徴とする紙葉類処理装置。
【請求項２】
前記識別部は、投入された紙葉類の各々について、所定の種別の商品券であるか所定の種別以外の商品券であるかを識別するようになっており、
前記複数の集積部は、所定の種別の商品券と所定の種別以外の商品券とを分離して集積するようになっており、
前記無効化処理部は、所定の種別の商品券に対して無効化処理を実施するようになっていることを特徴とする請求項１に記載の紙葉類処理装置。
【請求項３】
前記識別部は、投入された紙葉類の各々について、紙幣か所定の種別の商品券であるか所定の種別以外の商品券であるかを識別するようになっており、
前記複数の集積部は、紙幣と所定の種別の商品券と所定の種別以外の商品券とを分離して集積するようになっており、
前記無効化処理部は、所定の種別の商品券に対して無効化処理を実施するようになっていることを特徴とする請求項１に記載の紙葉類処理装置。
【請求項４】
前記記憶部は、識別された紙葉類の前記複数の集積部への分類条件をも記憶するようになっていることを特徴とする請求項１乃至３のいずれかに記載の紙葉類処理装置。
【請求項５】
前記記憶部は、紙葉類の種別と無効化処理の内容との対応付けをも記憶するようになっており、
前記無効化処理部は、前記記憶部に記憶された対応付けに基づいて、所定の種別の紙葉類に対して所定の内容の無効化処理を実施するようになっていることを特徴とする請求項１乃至４のいずれかに記載の紙葉類処理装置。
【請求項６】
前記複数の集積部は、収納部へ収納される紙葉類を一時的に保留する複数の一時保留部によって構成されていることを特徴とする請求項１乃至５のいずれかに記載の紙葉類処理装置。
【請求項７】
前記複数の集積部は、収納部へ収納される紙葉類を一時的に保留する複数の一時保留部と少なくとも一つのスタッカ部とによって構成されていることを特徴とする請求項１乃至６のいずれかに記載の紙葉類処理装置。
【請求項８】
前記識別部は、無効な商品券を識別するようになっており、
前記搬送分類機構は、無効な商品券をリジェクト部またはスタック部に搬送するようになっていることを特徴とする請求項１乃至７のいずれかに記載の紙葉類処理装置。
【請求項９】
前記識別部は、所定の種別の商品券について、裏面であるか表面であるかを識別するようになっており、
前記無効化処理部は、所定の種別の商品券の所定面にのみ無効処理を実施するようになっていることを特徴とする請求項１乃至８のいずれかに記載の紙葉類処理装置。
【請求項１０】
前記無効化処理部は、印字機構を有することを特徴とする請求項１乃至９のいずれかに記載の紙葉類処理装置。
【請求項１１】
前記無効化処理部は、孔あけ機構を有することを特徴とする請求項１乃至９のいずれかに記載の紙葉類処理装置。
【請求項１２】
紙葉類が投入される投入部と、
投入された紙葉類の各々を識別する識別部と、
識別された紙葉類を搬送しながら分類する搬送分類機構と、
分類された紙葉類が集積される複数の集積部と、
紙葉類の種別と無効化処理の実施の有無との対応付けを記憶する記憶部と、
前記記憶部に記憶された対応付けに基づいて、所定の種別の紙葉類に対して物理的に無効化処理を実施する無効化処理部と、
を備えたことを特徴とする紙葉類処理装置を用いた紙葉類処理方法であって、
識別された紙葉類の前記複数の集積部への分類条件と、前記対応付けと、を記憶部に記憶させておく工程と、
紙葉類を投入部に投入する工程と、
投入された紙葉類の各々を識別部によって識別する工程と、
識別された紙葉類を前記分類条件に従って搬送分類機構によって搬送しながら分類する工程と、
所定の種別の紙葉類に対して無効化処理部によって物理的に無効化処理を実施する工程と、
分類された紙葉類を複数の集積部によって一時的に集積する工程と、
を備えたことを特徴とする紙葉類処理方法。
【発明の詳細な説明】
【技術分野】
【０００１】
本発明は、紙幣、硬貨、商品券等の入金処理を行うための紙葉類処理装置及び紙葉類処理方法に関する。
【背景技術】
【０００２】
従来より、売上金の入金処理を行うための貨幣処理装置として、売上金入金機が幅広く利用されている。例えば特許文献１に、典型的な売上金入金機が開示されている。
【０００３】
このような売上金入金機では、受け入れられた貨幣の各々が識別されて、正常貨幣が一時保留部に保留される一方で、異常貨幣はリジェクト部へとリジェクトされる。一時保留部に保留された正常貨幣は、当該売上金入金機の操作者による承認がなされた後、対応する収納部へと送り込まれる。収納部とは、一般には、紙幣カセットないし硬貨カセットである。（当該売上金入金機の操作者による承認がなされなければ、一時保留部に保留された正常貨幣も機外へと取り出される。）
【０００４】
また、商品券の入金処理を行うための貨幣処理装置として、商品券入金機も利用されている。例えば特許文献２に、典型的な商品券入金機が開示されている。
【０００５】
このような商品券入金機では、受け入れられた商品券の各々が識別されて、正常な商品券が一時保留部に保留される一方で、異常な商品券はリジェクト部へとリジェクトされる。一時保留部に保留された正常な商品券は、当該商品券入金機の操作者による承認がなされた後、対応する収納部へと送り込まれる。収納部とは、一般には、紙幣カセットと同じ構成の商品券カセットである。（当該商品券入金機の操作者による承認がなされなければ、一時保留部に保留された正常な商品券も機外へと取り出される。）
【先行技術文献】
【特許文献】
【０００６】
【特許文献１】特許第３８６８６７７号
【特許文献２】特許第３９２００１１号
【発明の概要】
【発明が解決しようとする課題】
【０００７】
従来技術においては、紙幣入金機と商品券入金機とを個別に用意する必要があったため、コストや設置スペースについて、２台分が必要であった。また、入金操作時に、入力操作がそれぞれ（２回）必要であった。
【０００８】
また、商品券の取り扱いについては、店舗や商品券の種類毎に取り扱い（運用）が異なる場合が少なくないが、従来の商品券入金機では、そのような多様な運用に柔軟に対応することが容易でなかった。特に、商品券を無効化処理する場合、全ての商品券に対して無効化処理するか、無効化処理を行わないか、の選択しかできなかった。
【０００９】
本発明は、以上のような問題点に着目し、これを有効に解決すべく創案されたものである。本発明の目的は、無効化処理を実施することが好ましい紙葉類とそうでない紙葉類とが混在している場合において、無効化処理の実施の有無を自動的に切り換えることができるような紙葉類処理装置及び紙葉類処理方法を提供することにある。
【課題を解決するための手段】
【００１０】
本発明は、紙葉類が投入される投入部と、投入された紙葉類の各々を識別する識別部と、識別された紙葉類を搬送しながら分類する搬送分類機構と、分類された紙葉類が集積される複数の集積部と、紙葉類の種別と無効化処理の実施の有無との対応付けを記憶する記憶部と、前記記憶部に記憶された対応付けに基づいて、所定の種別の紙葉類に対して物理的に無効化処理を実施する無効化処理部と、を備えたことを特徴とする紙葉類処理装置である。
【００１１】
本発明によれば、紙葉類の集積部が複数設けられているため、紙幣を金種毎に集積したり、商品券を種類毎に集積したりすることが実現できる。
【００１２】
また、本発明によれば、紙葉類の種別と無効化処理の実施の有無との対応付けに基づいて、所定の種別の紙葉類に対してのみ無効化処理が実施されるため、無効化処理を直ちに実施することが好ましい紙葉類とそうでない紙葉類とが混在している場合において、無効化処理の実施の有無を自動的に切り換えることができる。
【００１３】
好ましくは、前記識別部は、投入された紙葉類の各々について、所定の種別の商品券であるか所定の種別以外の商品券であるかを識別するようになっており、前記複数の集積部は、所定の種別の商品券と所定の種別以外の商品券とを分離して集積するようになっており、前記無効化処理部は、所定の種別の商品券に対して無効化処理を実施するようになっている。この場合、無効化処理を直ちに実施することが好ましい商品券とそうでない商品券とが混在している場合において、無効化処理の実施の有無を自動的に切り換えることができる。
【００１４】
あるいは、好ましくは、前記識別部は、投入された紙葉類の各々について、紙幣か所定の種別の商品券であるか所定の種別以外の商品券であるかを識別するようになっており、前記複数の集積部は、紙幣と所定の種別の商品券と所定の種別以外の商品券とを分離して集積するようになっており、前記無効化処理部は、所定の種別の商品券に対して無効化処理を実施するようになっている。この場合、紙幣と無効化処理を直ちに実施することが好ましい商品券とそうでない商品券とが混在している場合において、無効化処理の実施の有無を自動的に切り換えることができる。
【００１５】
識別された紙葉類の複数の集積部への分類条件も、本発明による記憶部によって記憶され得る。ここで、記憶部とは、具体的な構成として単一である必要は無く、複数の要素を有し得ることは勿論である。そして、当該分類条件は、搬送分類機構による紙葉類の搬送ないし分類を制御するための切換制御部に適時に読み出されることが好ましい。
【００１６】
また、本発明による記憶部は、紙葉類の種別と無効化処理の内容との対応付けをも記憶するようになっており、無効化処理部は、記憶部に記憶された対応付けに基づいて、所定の種別の紙葉類に対して所定の内容の無効化処理を実施するようになっていることが好ましい。この場合、紙葉類の種別毎に、無効化処理の内容を変えることが可能である。例えば、印字による無効化処理が採用される場合には、印字内容や印字位置を変えることが可能である。
【００１７】
また、本発明において、複数の集積部は、収納部へ収納される紙葉類を一時的に保留する複数の一時保留部によって構成されてもよいし、収納部へ収納される紙葉類を一時的に保留する複数の一時保留部と少なくとも一つのスタッカ部とによって構成されてもよい。
【００１８】
また、本発明による識別部は、無効な商品券を識別するようになっており、搬送分類機構は、無効な商品券をリジェクト部またはスタック部に搬送するようになっていることが好ましい。
【００１９】
また、本発明による識別部は、所定の種別の商品券について、裏面であるか表面であるかを識別するようになっており、無効化処理部は、所定の種別の商品券の所定面にのみ無効処理を実施するようになっていることが好ましい。
【００２０】
また、本発明は、紙葉類が投入される投入部と、投入された紙葉類の各々を識別する識別部と、識別された紙葉類を搬送しながら分類する搬送分類機構と、分類された紙葉類が集積される複数の集積部と、紙葉類の種別と無効化処理の実施の有無との対応付けを記憶する記憶部と、前記記憶部に記憶された対応付けに基づいて、所定の種別の紙葉類に対して物理的に無効化処理を実施する無効化処理部と、を備えたことを特徴とする紙葉類処理装置を用いた紙葉類処理方法であって、識別された紙葉類の前記複数の集積部への分類条件と、前記対応付けと、を記憶部に記憶させておく工程と、紙葉類を投入部に投入する工程と、投入された紙葉類の各々を識別部によって識別する工程と、識別された紙葉類を前記分類条件に従って搬送分類機構によって搬送しながら分類する工程と、所定の種別の紙葉類に対して無効化処理部によって物理的に無効化処理を実施する工程と、分類された紙葉類を複数の集積部によって一時的に集積する工程と、を備えたことを特徴とする貨幣処理方法である。
【００２１】
本発明によれば、紙葉類の集積部が複数設けられているため、紙幣を金種毎に集積したり、商品券を種類毎に集積したりすることが実現できる。
【００２２】
また、本発明によれば、紙葉類の種別と無効化処理の実施の有無との対応付けに基づいて、所定の種別の紙葉類に対してのみ無効化処理が実施されるため、無効化処理を直ちに実施することが好ましい紙葉類とそうでない紙葉類とが混在している場合において、無効化処理の実施の有無を自動的に切り換えることができる。
【発明の効果】
【００２３】
本発明によれば、紙葉類の集積部が複数設けられているため、紙幣を金種毎に集積したり、商品券を種類毎に集積したりすることが実現できる。
【００２４】
また、本発明によれば、紙葉類の種別と無効化処理の実施の有無との対応付けに基づいて、所定の種別の紙葉類に対してのみ無効化処理が実施されるため、無効化処理を直ちに実施することが好ましい紙葉類とそうでない紙葉類とが混在している場合において、無効化処理の実施の有無を自動的に切り換えることができる。
【図面の簡単な説明】
【００２５】
【図１】本発明の一実施の形態に係る貨幣処理装置の構成例を示す概略図である。
【図２】図１の貨幣処理装置の制御系の構成を示す概略ブロック図である。
【図３】図１の貨幣処理装置の分類条件（１）（２）を示す図表である。
【図４】図１の貨幣処理装置の分類条件（１）に対応する集積状況を示す図である。
【図５】図１の貨幣処理装置の分類条件（１）に対応する回収状況を示す図である。
【図６】図１の貨幣処理装置の分類条件（２）に対応する集積状況を示す図である。
【図７】図１の貨幣処理装置の分類条件（２）に対応する回収状況を示す図である。
【図８】図１の貨幣処理装置の他の回収状況を示す図である。
【図９】図１の貨幣処理装置の分類条件（３）（４）を示す図表である。
【図１０】図１の貨幣処理装置の分類条件（３）（４）に対応する集積状況を示す図    である。
【図１１】図１の貨幣処理装置の分類条件（３）に対応する回収状況を示す図である    。
【図１２】図１の貨幣処理装置の分類条件（４）に対応する回収状況を示す図である    。
【図１３】図１の貨幣処理装置の分類条件（５）（６）を示す図表である。
【図１４】図１の貨幣処理装置の分類条件（５）（６）に対応する集積状況を示す図    である。
【図１５】図１の貨幣処理装置の分類条件（５）に対応する回収状況を示す図である    。
【図１６】図１の貨幣処理装置の分類条件（６）に対応する回収状況を示す図である    。
【図１７】図１の貨幣処理装置の回収パターン例を纏めて示す図表である。
【図１８】紙幣と商品券との計数結果が別々に表示される例を示す図である。
【発明を実施するための形態】
【００２６】
以下、図面を参照して、本発明の一実施の形態に係る貨幣処理装置（紙葉類処理装置の一種である）を説明する。図１は、本発明の一実施の形態に係る貨幣処理装置１００の構成例を示す概略図であり、図２は、図１の貨幣処理装置の制御系の構成を示す概略ブロック図である。もっとも、本実施の形態は、本発明を限定するものではない。
【００２７】
図１及び図２に示すように、本実施の形態の貨幣処理装置１００は、紙幣や商品券を含む紙葉類が投入される投入部１０と、投入された紙葉類の各々を識別する識別部２０と、識別された紙葉類を搬送しながら４種別に分類する搬送分類機構３０と、分類された紙葉類が一時的に集積される４つの集積部４１〜４４と、４つの集積部４１〜４４の一部である２つの集積部４３、４４にそれぞれ対応して設けられた２つの収納部５３、５４と、を備えている。
【００２８】
本実施の形態の投入部１０は、紙葉類ホッパとして構成されており、投入された紙葉類（紙幣／商品券）を受入れて、１枚ずつ繰出すようになっている。
【００２９】
本実施の形態の識別部２０は、イメージセンサを有して構成されており、紙幣／商品券の区別の他、各紙幣の金種や、各商品券の種別などを識別するようになっている。商品券の種別の識別とは、当該店舗（及びそのチェーン店舗）で発行された商品券／他社で発行された商品券の区別や、当該店舗において処分可能な商品券／他の管理センターへの回収が必要な商品券の区別や、使用期限内の有効な商品券／使用期限切れの無効な商品券（リジェクトされる）の区別等である。
【００３０】
本実施の形態において、識別部２０による識別は、紙葉類の各々が搬送されている間に行われるようになっている。この時の搬送速度は、後述する搬送分類機構３０による搬送速度と同じになっている。
【００３１】
本実施の形態の搬送分類機構３０は、紙葉類を搬送する搬送ベルト機構３５と、搬送路を切り換えるための３つの切換機構３１〜３３と、当該３つの切換機構３１〜３３を制御する紙幣制御部３６とを有して構成されており、紙幣制御部３６が識別部２０による識別結果に基づいて３つの切換機構３１〜３３を制御することによって、識別された紙葉類を４つの集積部４１〜４４に分類して搬送するようになっている。
【００３２】
ここで、本実施の形態の切換制御部３６は、搬送分類機構３０の搬送速度をも切り換えるようになっている（特許請求の範囲における「搬送制御部」としての機能）。具体的には、切換制御部３６は、搬送分類機構３０の搬送速度を、紙葉類として紙幣を処理する紙幣処理モードと、紙葉類として商品券を処理する商品券処理モードと、紙葉類として紙幣及び商品券を処理する混在処理モードと、のいずれかに従って選択的に切り換えるようになっている。
【００３３】
本実施の形態では、紙幣処理モードにおける搬送分類機構３０の搬送速度は、２０００ｍｍ／ｓｅｃであり、商品券処理モード及び混在処理モードにおける搬送分類機構３０の搬送速度は、１２００ｍｍ／ｓｅｃである。これらの速度は、それぞれ、識別部２０による紙葉類の読取速度として、１２枚／ｓｅｃ、５〜７枚／ｓｅｃ、に相当している。
【００３４】
本実施の形態の第１の集積部４１は、紙葉類リジェクト部として構成されており、リジェクト対象の紙幣類が集積されるようになっている。第１の集積部４１（紙葉類リジェクト部）は、常時外部に解放されていて、常時外部から取出し可能となっている。
【００３５】
本実施の形態の第２の集積部４２は、紙葉類スタッカ部として構成されており、１００枚程度までの紙幣類が集積されるようになっている。第２の集積部４２（紙葉類スタッカ部）は、シャッタ４２ｓを介して外部からアクセス可能となっていて、シャッタ４２ｓの開放時に外部から取出し可能となっている。もっとも、シャッタ４２ｓの設置を省略することも可能である。その場合は、第１の集積部４１（紙葉類リジェクト部）と同様に、常時外部からアクセス可能（紙葉類の取出し可能）となる。
【００３６】
本実施の形態の第３の集積部４３及び第４の集積部４４は、それぞれ紙葉類一時保留部として構成されており、１００枚程度までの紙幣類が集積されるようになっている。そして、当該貨幣処理装置１００の操作者による承認の後には、当該紙葉類一時保留部の底面が開放されるようになっていて、一時保留されていた紙葉類が対応する収納部５３、５４に送り込まれるようになっている。また、本実施の形態では、当該貨幣処理装置１００の操作者によって非承認とされた後には、当該紙葉類一時保留部４３、４４が当該貨幣処理装置１００の前方へ引き出し可能となって、一時保留されていた紙葉類を当該貨幣処理装置１００の前方から取出し可能となっている。
【００３７】
本実施の形態の２つの収納部５３、５４は、２つの集積部４３、４４に対応して設けられており、紙葉類を収納可能なカセットで構成されている。各カセットは、収容された紙葉類の回収条件を個別に設定可能となっており、設定された回収条件が満たされた場合にのみ当該貨幣処理装置の外側からアクセス可能となっている。
【００３８】
例えば、２つの収納部５３、５４の少なくとも一つに対して設定される回収条件は、貨幣処理装置１００が設置される店舗が紙葉類の回収を許可しているという条件とされ、２つの収納部５３、５４の少なくとも他の一つに対して設定される回収条件は、警送業者が紙葉類の回収を許可しているという条件とされ得る。このように回収条件が設定されることにより、店舗自身による回収作業と、警送業者による回収作業とを、それぞれ個別に設定して管理することが可能である。
【００３９】
本実施の形態では、各収納部５３、５４への貨幣処理装置１００の外側からのアクセスを制限する構成として、図１及び図２に示すように、公知のロック機構６３、６４と、当該ロック機構６３、６４を制御するロック制御部６５と、が採用されている。当該ロック制御部６５には、ターミナル７０に内蔵された全体制御部７３を介してＩＣカードリーダ７１が接続されており、店舗所属の操作者が保有するＩＣカードをＩＣカードリーダ７１が読み取った時、店舗が紙葉類の回収を許可していると判断し、そのような回収条件が設定されている収納部５３、５４に対するアクセスが解放され（ロックが解除され）、警送業者所属の操作者が保有するＩＣカードをＩＣカードリーダ７１が読み取った時、当該警送業者が紙葉類の回収を許可していると判断し、そのような回収条件が設定されている収納部５３、５４に対するアクセスが解放される（ロックが解除される）ようになっている。
【００４０】
ターミナル７０には、全体制御部７３とＩＣカードリーダ７１とに加えて、タッチパネル等で構成された表示・操作部７２が設けられている。表示・操作部７２は、操作ガイダンスや入金処理時の取引データ等を表示すると共に、操作者の指示入力を受け付けるようになっている。
【００４１】
また、本実施の形態の貨幣処理装置１００には、所定の種別の紙葉類、例えば所定の種別の商品券を無効化するための無効化処理部としての消し込み部７５が設けられている。本実施の形態の消し込み部７５は、インクジェットプリンタを有して構成されており、無効化情報を商品券に印字できるようになっている。本実施の形態の消し込み部７５は、後述する記憶部８０に記憶される情報に基づいて、印字内容を任意に設定可能である他、印字する／しないの設定（切換）も可能である。また、本実施の形態の消し込み部７５は、搬送中の紙葉類の上下面のいずれにも対応可能（上下両面に無効マークを印字する）となっている。
【００４２】
続いて、図１及び図２に示すように、本実施の形態の貨幣処理装置１００は、硬貨が投入される硬貨投入部１１０と、投入された硬貨の各々を識別する硬貨識別部１２０と、識別された硬貨を搬送しながら３種別に分類する硬貨搬送分類機構１３０と、分類された硬貨が一時的に集積される３つの硬貨集積部１４１〜１４３と、３つの硬貨集積部１４１〜１４３の一部である２つの硬貨集積部１４２、１４３にそれぞれ対応して設けられた２つの硬貨収納部１５２、１５３と、を備えている。
【００４３】
本実施の形態の硬貨投入部１１０は、硬貨ホッパとして構成されており、投入された硬貨を受入れて、１枚ずつ繰出すようになっている。
【００４４】
本実施の形態の硬貨識別部１２０は、磁気センサ等を有して構成されており、真偽の区別の他、各硬貨の金種を識別するようになっている。
【００４５】
本実施の形態の硬貨搬送分類機構１３０は、硬貨制御部１３６によって制御されるソレノイド付き選別部材を有する強制選別機構によって構成されており、識別された硬貨を３つの硬貨集積部１４１〜１４３に分類して搬送するようになっている。本実施の形態の硬貨搬送分類機構１３０は、振分ける硬貨の種別を任意に設定できるようになっている。
【００４６】
本実施の形態の第１の硬貨集積部１４１は、硬貨リジェクト部として構成されており、リジェクト対象の硬貨が集積されるようになっている。第１の硬貨集積部１４１（硬貨リジェクト部）は、常時外部に解放されていて、常時外部から取出し可能となっている。
【００４７】
本実施の形態の第２の硬貨集積部１４２及び第３の硬貨集積部１４３は、それぞれ硬貨一時保留部として構成されており、１００枚程度までの硬貨が集積されるようになっている。そして、当該貨幣処理装置１００の操作者による承認の後には、当該硬貨一時保留部の枠体が移動されるようになっていて、一時保留されていた硬貨が対応する収納部１５２、１５３に送り込まれるようになっている。また、本実施の形態では、当該貨幣処理装置１００の操作者によって非承認とされた後には、当該硬貨一時保留部１４３、１４４の底板が逃げて、一時保留されていた硬貨が当該硬貨一時保留部１４３、１４４の下方の硬貨返却箱１４５、１４６に送り込まれ、当該硬貨返却箱１４５、１４６を介して取出し可能となっている。
【００４８】
本実施の形態の２つの硬貨収納部１５２、１５３は、２つの硬貨集積部１４２、１４３に対応して設けられており、硬貨を収納可能なカセットで構成されている。各硬貨カセットは、収容された硬貨の回収条件を個別に設定可能となっており、設定された回収条件が満たされた場合にのみ当該貨幣処理装置の外側からアクセス可能となっている。
【００４９】
例えば、２つの硬貨収納部１５２、１５３の少なくとも一つに対して設定される回収条件は、貨幣処理装置１００が設置される店舗が硬貨の回収を許可しているという条件とされ、２つの硬貨収納部１５２、１５３の少なくとも他の一つに対して設定される回収条件は、警送業者が硬貨の回収を許可しているという条件とされ得る。このように回収条件が設定されることにより、店舗自身による回収作業と、警送業者による回収作業とを、それぞれ個別に設定して管理することが可能である。
【００５０】
本実施の形態では、各硬貨収納部１５２、１５３への貨幣処理装置１００の外側からのアクセスを制限する構成として、図１及び図２に示すように、公知のロック機構１６２、１６３と、当該ロック機構１６２、１６３を制御するロック制御部６５と、が採用されている。前述のように、当該ロック制御部６５には、ＩＣカードリーダ７１が接続されており、店舗所属の操作者が保有するＩＣカードをＩＣカードリーダ７１が読み取った時、店舗が硬貨の回収を許可していると判断し、そのような回収条件が設定されている硬貨収納部１５２、１５３に対するアクセスが解放され（ロックが解除され）、警送業者所属の操作者が保有するＩＣカードをＩＣカードリーダ７１が読み取った時、当該警送業者が硬貨の回収を許可していると判断し、そのような回収条件が設定されている硬貨収納部１５２、１５３に対するアクセスが解放される（ロックが解除される）ようになっている。
【００５１】
更に、本実施の形態では、下部ユニットの引出操作（図５参照）に対するロック機構１６５と、当該ロック機構１６５を制御するロック制御部６５と、が採用されている。すなわち、ロック制御部６５は、５つのロック機構６３、６４、１６３、１６３、１６５を制御するようになっている。
【００５２】
また、本実施の形態の貨幣処理装置１００には、識別された紙葉類ないし硬貨の各集積部４１〜４４ないし各硬貨集積部１４１〜１４３への分類条件（分類パターン）を記憶しておく記憶部８０が設けられている。本実施の形態の記憶部８０は、ターミナル７０内に設けられている。記憶部８０に記憶された当該分類条件は、搬送分類機構３０による紙葉類の搬送ないし分類を制御するための紙幣制御部３６、及び、硬貨搬送分類機構１３０による硬貨の搬送ないし分類を制御するための硬貨制御部１３６、に適時に読み出されるようになっている。
【００５３】
本実施の形態では、記憶部８０は、各収納部５３、５４及び各硬貨収納部１５２、１５３に対して設定される回収条件も記憶するようになっており、各収納部５３、５４及び各硬貨収納部１５２、１５３への貨幣処理装置１００の外側からのアクセスの制限／許容を判別して制御するためにロック制御部６５に適時に読み出されるようになっている。
【００５４】
さらに、本実施の形態の記憶部８０は、識別部２０による紙葉類の識別のための詳細情報（例えば識別処理に用いる辞書データ等）を記憶しており、識別部２０に適時に読み出されるようになっている。
【００５５】
また、本実施の形態の記憶部８０は、紙葉類の種別と消し込み部７５による無効化処理の実施の有無（印字する／しない）との対応付けを記憶しており、消し込み部７５に適時に読み出されるようになっている。さらに、本実施の形態の記憶部８０は、紙葉類の種別と消し込み部７５による無効化処理の内容（印字内容／印字位置）との対応付けをも記憶しており、消し込み部７５に適時に読み出されるようになっている。なお、紙幣については、「消し込み無し」しか対応付けられない。
【００５６】
また、本実施の形態の貨幣処理装置１００には、入金処理時の取引データや、締め時／回収時等における集計データをプリントアウトするプリンタ装置９５が設けられている。
【００５７】
さらに、本実施の形態の貨幣処理装置１００には、外部機器（管理コンピュータ）等と通信可能で、識別情報や分類条件（分類パターン）を取得したり、入金結果等を送信可能なＩ／Ｆ部９６も設けられている。
【００５８】
次に、以上のような貨幣処理装置１００を用いた貨幣処理方法について説明する。まずは、紙幣及び硬貨を処理する場合の分類条件（１）（２）について説明する。図３に示すように、これらの分類条件（１）（２）においては、商品券の投入は想定されておらず、紙幣と硬貨とが分類されて収納される。
【００５９】
具体的には、分類条件（１）では、収納部５３に装着されたカセット１に対応する第３の集積部４３（一方の紙葉類一時保留部）に、売上金として回収予定の紙幣が搬送されていき、収納部５３に装着されたカセット１がフル状態になる時に、もう一つの収納部５４に装着されたカセット２に対応する第４の集積部４４（他方の紙葉類一時保留部）に、売上金として回収予定の紙幣が搬送されていく。識別部２０によってリジェクト紙幣と識別された紙葉類は、第１の集積部４１である紙葉類リジェクト部に送られるようになっている。分類条件（１）では、第２の集積部４２である紙葉類スタッカ部は使用されない。
【００６０】
硬貨についても同様で、分類条件（１）では、硬貨収納部１５２に装着されたカセット１に対応する第２の硬貨集積部１４２に、売上金として回収予定の硬貨が搬送されていき、硬貨収納部１５２に装着されたカセット１がフル状態になる時に、もう一つの硬貨収納部１５３に装着されたカセット２に対応する第３の硬貨集積部１４３に、売上金として回収予定の硬貨が搬送されていく。識別部２０によってリジェクト硬貨と識別された硬貨は、第１の集積部１４１である硬貨リジェクト部に送られるようになっている。
【００６１】
次に、図４を参照しながら、分類条件（１）に基づく貨幣処理のフローの前半を説明する。図４は、分類条件（１）に対応する集積状況を示す図である。
【００６２】
（ステップＳ１０１）予め、記憶部８０に、前記した分類条件（１）が記憶される。
【００６３】
（ステップＳ１０２）また、予め、記憶部８０に、分類条件（１）に対応する回収条件が記憶される。本実施の形態では、全ての紙幣／硬貨が売上金として警送業者によって回収されることを想定し、回収条件は、警送業者が収容された紙幣／硬貨の回収を許可しているという条件とされている。具体的には、警送業者所属の操作者が保有するＩＣカードがＩＣカードリーダ７１を介して読み取られることが、回収条件とされている。（この回収条件が満たされた時に、ロック制御部６５は全てのロック機構６３、６４、１６２、１６３、１６５を解除するようになっている。）
【００６４】
（ステップＳ１０３）また、予め、分類条件（１）に対応する処理モードとして、紙葉類として紙幣を処理する紙幣処理モードが選択され、その情報が記憶部８０に記憶される。
【００６５】
（ステップＳ１１１）以上の状態で、紙葉類が投入部１０に投入される。
【００６６】
（ステップＳ１１２）投入された紙葉類の各々は、識別部２０によって識別される。この時、紙幣処理モードに従って、紙幣の搬送速度は、２０００ｍｍ／ｓｅｃに制御され、識別部２０による紙幣の読取速度は、１２枚／ｓｅｃとされる。
【００６７】
（ステップＳ１１３）識別された紙葉類は、搬送分類機構３０によって分類条件（１）に従って、リジェクト紙幣であれば第１の集積部４１（紙葉類リジェクト部）に搬送され、正常紙幣であれば第３の集積部４３（一方の紙葉類一時保留部）に搬送される。この時、紙幣処理モードに従って、紙幣の搬送速度は、２０００ｍｍ／ｓｅｃに制御される。
【００６８】
（ステップＳ１１４）第１の集積部４１（紙葉類リジェクト部）または第３の集積部４３（一方の紙葉類一時保留部）に搬送された各紙幣は、そこで一時的に集積される。
【００６９】
（ステップＳ１１５）第３の集積部４３に集積された紙幣は、適宜のタイミングで（一般には、操作者による承認がなされた後で）、対応する収納部５３に収納される。すなわち、収納部５３に装着されたカセット１内に収納される。
【００７０】
（ステップＳ１２０）識別部２０による識別結果をカウントすることで所定の枚数の正常紙幣がカセット１に収納されることが見込まれると、分類条件（１）に従って、搬送分類機構３０による制御態様が変更される。具体的には、紙幣制御部３６において、識別された紙葉類が正常紙幣である場合について、それまでの第３の集積部４３への搬送制御が、第４の集積部４４への搬送制御に切り換えられる。
【００７１】
（ステップＳ１２１、Ｓ１２２）前記搬送制御の切り換え後、投入部１０に投入された紙葉類の各々は、同様に識別部２０によって識別される。この時、紙幣処理モードに従って、紙幣の搬送速度は、２０００ｍｍ／ｓｅｃに制御され、識別部２０による紙幣の読取速度は、１２枚／ｓｅｃとされる。
【００７２】
（ステップＳ１２３）識別された紙葉類は、搬送分類機構３０によって分類条件（１）に従って、リジェクト紙幣であれば第１の集積部４１（紙葉類リジェクト部）に搬送され、正常紙幣であれば、今度は第４の集積部４４（他方の紙葉類一時保留部）に搬送される。この時、紙幣処理モードに従って、紙幣の搬送速度は、２０００ｍｍ／ｓｅｃに制御される。
【００７３】
（ステップＳ１２４）第１の集積部４１（紙葉類リジェクト部）または第４の集積部４４（他方の紙葉類一時保留部）に搬送された各紙幣は、そこで一時的に集積される。
【００７４】
（ステップＳ１２５）第４の集積部４４に集積された紙幣は、適宜のタイミングで（一般には、操作者による承認がなされた後で）、対応する収納部５４に収納される。すなわち、収納部５４に装着されたカセット２内に収納される。
【００７５】
以上のようなフローにより、売上金として回収予定の紙幣が先ずは収納部５３に装着されたカセット１に装填されていき、当該カセット１がフル状態になった後に、もう一つの収納部５４に装着されたカセット２に装填されていく、という制御を実現することができる。
【００７６】
そして、後述する回収作業によりカセット１の回収が行われることにより、その後、カセット２がフル状態になった後に、新たに装着されたカセット１に正常紙幣が装填されていく、という制御を実現することができる。
【００７７】
硬貨についても同様で、最初に（ステップＳ１０１）及び（ステップＳ１０２）が実施され、その後、以下のフローが続く。
【００７８】
（ステップＳ１３１）硬貨が硬貨投入部１１０に投入される。
【００７９】
（ステップＳ１３２）投入された硬貨の各々は、硬貨識別部１２０によって識別される。
【００８０】
（ステップＳ１３３）識別された硬貨は、硬貨搬送分類機構１３０によって分類条件（１）に従って、リジェクト硬貨であれば第１の硬貨集積部１４１（硬貨リジェクト部）に搬送され、正常硬貨であれば第２の硬貨集積部１４２（一方の硬貨一時保留部）に搬送される。
【００８１】
（ステップＳ１３４）第１の硬貨集積部１４１（硬貨リジェクト部）または第２の硬貨集積部１４２（一方の硬貨一時保留部）に搬送された各硬貨は、そこで一時的に集積される。
【００８２】
（ステップＳ１３５）第２の硬貨集積部１４２に集積された硬貨は、適宜のタイミングで（一般には、操作者による承認がなされた後で）、対応する硬貨収納部１５２に収納される。すなわち、硬貨収納部１５２に装着されたカセット１内に収納される。
【００８３】
（ステップＳ１４０）硬貨識別部１２０による識別結果をカウントすることで所定の枚数の正常硬貨がカセット１に収納されることが見込まれると、分類条件（１）に従って、硬貨搬送分類機構１３０による制御態様が変更される。具体的には、硬貨制御部１３６において、識別された硬貨が正常硬貨である場合について、それまでの第２の硬貨集積部１４２への搬送制御が、第３の硬貨集積部１４３への搬送制御に切り換えられる。
【００８４】
（ステップＳ１４１、Ｓ１４２）前記搬送制御の切り換え後、硬貨投入部１１０に投入された硬貨の各々は、同様に硬貨識別部１２０によって識別される。
【００８５】
（ステップＳ１４３）識別された硬貨は、硬貨搬送分類機構１３０によって分類条件（１）に従って、リジェクト硬貨であれば第１の硬貨集積部１４１（硬貨リジェクト部）に搬送され、正常硬貨であれば、今度は第３の硬貨集積部１４３（他方の硬貨一時保留部）に搬送される。
【００８６】
（ステップＳ１４４）第１の硬貨集積部１４１（硬貨リジェクト部）または第３の硬貨集積部１４２（他方の硬貨一時保留部）に搬送された各硬貨は、そこで一時的に集積される。
【００８７】
（ステップＳ１４５）第３の集積部１４３に集積された硬貨は、適宜のタイミングで（一般には、操作者による承認がなされた後で）、対応する硬貨収納部１５３に収納される。すなわち、硬貨収納部１５３に装着されたカセット２内に収納される。
【００８８】
以上のようなフローにより、売上金として回収予定の硬貨が先ずは硬貨収納部１５２に装着されたカセット１に装填されていき、当該カセット１がフル状態になった後に、もう一つの硬貨収納部１５３に装着されたカセット２に装填されていく、という制御を実現することができる。
【００８９】
そして、後述する回収作業によりカセット１の回収が行われることにより、その後、カセット２がフル状態になった後に、新たに装着されたカセット１に正常紙幣が搬送されていく、という制御を実現することができる。
【００９０】
続いて、図５を参照しながら、分類条件（１）に基づく貨幣処理のフローの後半を説明する。図５は、分類条件（１）に対応する回収状況を示す図である。
【００９１】
（ステップＳ１６１）回収作業を行おうとする操作者のＩＣカードが、ＩＣカードリーダ７１を介して読み取られる。
【００９２】
（ステップＳ１６２）ＩＣカードリーダ７１を介して読み取られたＩＣカードが、警送業者所属の操作者が保有するＩＣカードであると判別されると、ロック制御部６５が全てのロック機構６３、６４、１６２、１６３、１６５を解除する。
【００９３】
（ステップＳ１６３）ロック制御部６５がロック機構１６５を解除をすると、収納部５３、５４及び硬貨収納部１５２、１５３を貨幣処理装置１００の前方に引き出すことが可能となる。
【００９４】
（ステップＳ１６４）この状態で、回収作業を行おうとする操作者は、収納部５３、５４及び硬貨収納部１５２、１５３を貨幣処理装置１００の前方に引き出して、ロック機構６３、６４、１６２、１６３が解除された各収納部５３、５４及び各硬貨収納部１５２、１５３からカセットを回収し、代わりに空のカセットを装着する。もっとも、カセットの空容量が未だ十分にある場合には、操作者の裁量で空のカセットへの交換を行わないという選択も採用可能である。
【００９５】
（ステップＳ１６５）収納部５３、５４及び硬貨収納部１５２、１５３が貨幣処理装置１００の前方から元に戻されると、全体のロック機構１６５と各ロック機構６３、６４、１６２、１６３が再びロックされる。
【００９６】
（ステップＳ１６６）交換されたカセットの情報が例えば表示・操作部７２を介して入力されると、当該情報に基づいて収納枚数のカウント情報が適宜に補正される。具体的には、対応する集積部（一時保留部）に紙幣／硬貨が既に一時的に集積されている場合には、当該紙幣／硬貨からのカウント値に補正され、対応する集積部（一時保留部）に紙幣／硬貨が未だ集積されていない場合には、ゼロに補正される。
【００９７】
以上のようなフローにより、警送業者所属の操作者によってのみ収納された紙幣及び硬貨を回収させることを、確実に実現することが可能である。
【００９８】
次に、分類条件（１）に対して代替的に採用することができる分類条件（２）についての詳細を説明する。分類条件（２）では、図３に示すように、収納部５３に装着されたカセット１に対応する第３の集積部４３に、釣銭準備金として再利用予定の紙幣が搬送されていき、もう一つの収納部５４に装着されたカセット２に対応する第４の集積部４４に、売上金として回収予定の紙幣が搬送されていく。識別部２０によってリジェクト紙幣と識別された紙葉類は、第１の集積部４１である紙葉類リジェクト部に送られるようになっている。分類条件（１）では、第２の集積部４２である紙葉類スタッカ部は使用されない。
【００９９】
硬貨についても同様で、分類条件（１）では、硬貨収納部１５２に装着されたカセット１に対応する第２の硬貨集積部１４２に、釣銭準備金として再利用予定の硬貨が搬送されていき、もう一つの硬貨収納部１５３に装着されたカセット２に対応する第３の硬貨集積部１４３に、売上金として回収予定の硬貨が搬送されていく。識別部２０によってリジェクト硬貨と識別された硬貨は、第１の集積部１４１である硬貨リジェクト部に送られるようになっている。
【０１００】
図６を参照しながら、分類条件（２）に基づく貨幣処理のフローの前半を説明する。図６は、分類条件（２）に対応する集積状況を示す図である。
【０１０１】
（ステップＳ２０１）予め、記憶部８０に、前記した分類条件（２）が記憶される。
【０１０２】
（ステップＳ２０２）また、予め、記憶部８０に、分類条件（２）に対応する回収条件が記憶される。本実施の形態の回収条件は、収納部５３及び硬貨収納部１５２に対しては、当該貨幣処理装置１００が設置されている店舗が回収を許可しているという条件とされ、他の収納部５４及び硬貨収納部１５３に対しては、警送業者が回収を許可しているという条件とされている。具体的には、収納部５３及び硬貨収納部１５２に対しては、店舗所属の操作者が保有するＩＣカードがＩＣカードリーダ７１を介して読み取られることが、回収条件とされており、他の収納部５４及び硬貨収納部１５３に対しては、警送業者所属の操作者が保有するＩＣカードがＩＣカードリーダ７１を介して読み取られることが、回収条件とされている。（各回収条件が満たされた時に、ロック制御部６５は、対応するロック機構６３、１６２、または、ロック機構６４、１６３を解除するようになっている。）
【０１０３】
（ステップＳ２０３）また、予め、分類条件（２）に対応する処理モードとして、紙葉類として紙幣を処理する紙幣処理モードが選択され、その情報が記憶部８０に記憶される。
【０１０４】
（ステップＳ２１１）以上の状態で、紙葉類が投入部１０に投入される。
【０１０５】
（ステップＳ２１２）投入された紙葉類の各々は、識別部２０によって識別される。この時、紙幣処理モードに従って、紙幣の搬送速度は、２０００ｍｍ／ｓｅｃに制御され、識別部２０による紙幣の読取速度は、１２枚／ｓｅｃとされる。
【０１０６】
（ステップＳ２１３）識別された紙葉類は、搬送分類機構３０によって分類条件（２）に従って、リジェクト紙幣であれば第１の集積部４１（紙葉類リジェクト部）に搬送され、釣銭準備金として再利用対象となる紙幣であれば第３の集積部４３（一方の紙葉類一時保留部）に搬送され、売上金として回収対象となる紙幣であれば第４の集積部４４（他方の紙葉類一時保留部）に搬送される。この時、紙幣処理モードに従って、紙幣の搬送速度は、２０００ｍｍ／ｓｅｃに制御される。
【０１０７】
（ステップＳ２１４）第１の集積部４１（紙葉類リジェクト部）、第３の集積部４３（一方の紙葉類一時保留部）または第４の集積部４４（他方の紙葉類一時保留部）に搬送された各紙幣は、そこで一時的に集積される。
【０１０８】
（ステップＳ２１５）第３の集積部４３に集積された紙幣は、適宜のタイミングで（一般には、操作者による承認がなされた後で）、対応する収納部５３に収納される。すなわち、収納部５３に装着されたカセット１内に収納される。同様に、第４の集積部４４に集積された紙幣は、適宜のタイミングで（一般には、操作者による承認がなされた後で）、対応する収納部５４に収納される。すなわち、収納部５４に装着されたカセット２内に収納される。
【０１０９】
以上のようなフローにより、釣銭準備金として再利用予定の紙幣がカセット１に装填されていき、売上金として回収予定の紙幣がカセット２に装填されていく、という制御を実現することができる。
【０１１０】
硬貨についても同様で、最初に（ステップＳ２０１）及び（ステップＳ２０２）が実施され、その後、以下のフローが続く。
【０１１１】
（ステップＳ２３１）硬貨が硬貨投入部１１０に投入される。
【０１１２】
（ステップＳ２３２）投入された硬貨の各々は、硬貨識別部１２０によって識別される。
【０１１３】
（ステップＳ２３３）識別された硬貨は、硬貨搬送分類機構１３０によって分類条件（１）に従って、リジェクト硬貨であれば第１の硬貨集積部１４１（硬貨リジェクト部）に搬送され、釣銭準備金として再利用対象となる硬貨であれば第２の硬貨集積部１４２（一方の硬貨一時保留部）に搬送され、売上金として回収対象となる硬貨であれば第３の硬貨集積部１４３（他方の硬貨一時保留部）に搬送される。
【０１１４】
（ステップＳ２３４）第１の硬貨集積部１４１（硬貨リジェクト部）、第２の硬貨集積部１４２（一方の硬貨一時保留部）または第３の硬貨集積部１４３（他方の硬貨一時保留部）に搬送された各硬貨は、そこで一時的に集積される。
【０１１５】
（ステップＳ２１５）第２の硬貨集積部１４２に集積された硬貨は、適宜のタイミングで（一般には、操作者による承認がなされた後で）、対応する硬貨収納部１５２に収納される。すなわち、硬貨収納部１５２に装着されたカセット１内に収納される。同様に、第３の硬貨集積部１４３に集積された硬貨は、適宜のタイミングで（一般には、操作者による承認がなされた後で）、対応する硬貨収納部１５３に収納される。すなわち、硬貨収納部１５３に装着されたカセット２内に収納される。
【０１１６】
以上のようなフローにより、釣銭準備金として再利用予定の硬貨がカセット１に装填されていき、売上金として回収予定の硬貨がカセット２に装填されていく、という制御を実現することができる。
【０１１７】
続いて、図７を参照しながら、分類条件（２）に基づく貨幣処理のフローの後半を説明する。図７は、分類条件（２）に対応する回収状況を示す図である。
【０１１８】
（ステップＳ２６１）回収作業を行おうとする操作者のＩＣカードが、ＩＣカードリーダ７１を介して読み取られる。
【０１１９】
（ステップＳ２６２）ＩＣカードリーダ７１を介して読み取られたＩＣカードが、店舗所属の操作者が保有するＩＣカードであると判別されると、ロック制御部６５が収納部５３及び硬貨収納部１５２に対応するロック機構６３、１６２、及び、下部ユニット全体のロック機構１６５を解除する。
【０１２０】
（ステップＳ２６３）ロック制御部６５がロック機構１６５を解除すると、収納部５３、５４及び硬貨収納部１５２、１５３を貨幣処理装置１００の前方に引き出すことが可能となる。
【０１２１】
（ステップＳ２６４）この状態で、回収作業を行おうとする操作者は、収納部５３、５４及び硬貨収納部１５２、１５３を貨幣処理装置１００の前方に引き出して、ロック機構６３、１６２が解除された収納部５３及び硬貨収納部１５２からカセットを回収し、代わりに空のカセットを装着する。
【０１２２】
（ステップＳ２６５）収納部５３、５４及び硬貨収納部１５２、１５３が貨幣処理装置１００の前方から元に戻されると、全体のロック機構１６５と各ロック機構６３、１６２が再びロックされる。
【０１２３】
以上のようなフローにより、店舗所属の操作者によってのみ釣銭準備金として再利用する紙幣及び硬貨を回収させることを、確実に実現することが可能である。
【０１２４】
これに対して、売上金としての紙幣及び硬貨の回収は、以下のようなフローに従って行われる。最初に（ステップＳ２６１）が実施され、その後、以下のフローが続く。
【０１２５】
（ステップＳ２７２）ＩＣカードリーダ７１を介して読み取られたＩＣカードが、警送業者所属の操作者が保有するＩＣカードであると判別されると、ロック制御部６５が収納部５４及び硬貨収納部１５３に対応するロック機構６４、１６３、及び、下部ユニット全体のロック機構１６５を解除する。
【０１２６】
（ステップＳ２７３）ロック制御部６５がロック機構１６５を解除すると、収納部５３、５４及び硬貨収納部１５２、１５３を貨幣処理装置１００の前方に引き出すことが可能となる。
【０１２７】
（ステップＳ２７４）この状態で、回収作業を行おうとする操作者は、収納部５３、５４及び硬貨収納部１５２、１５３を貨幣処理装置１００の前方に引き出して、ロック機構６４、１６３が解除された収納部５４及び硬貨収納部１５３からカセットを回収し、代わりに空のカセットを装着する。
【０１２８】
（ステップＳ２７５）収納部５３、５４及び硬貨収納部１５２、１５３が貨幣処理装置１００の前方から元に戻されると、全体のロック機構１６５と各ロック機構６４、１６３が再びロックされる。
【０１２９】
以上のようなフローにより、警送業者所属の操作者によってのみ売上金として収納された紙幣及び硬貨を回収させることを、確実に実現することが可能である。
【０１３０】
以上のような態様によれば、回収紙幣ないし回収硬貨については警送業者による回収作業が可能である一方、釣銭準備金については店舗による回収作業が可能となり、回収作業の効率が顕著に向上される。
【０１３１】
前記態様において、下部ユニット全体のロック機構１６５を解除しない回収作業も可能である。例えば、図８に示すように、下部ユニットの全体を引き出すことなく、収納部５３のみを取り出して回収作業を実施してもよい。この場合には、収納部５３に対応するロック機構６３のみが解除され、他のロック機構６４、１６２、１６３、１６５はロックされた状態を維持する。
【０１３２】
次に、商品券のみを処理対象とする場合の分類条件（３）（４）について説明する。図９に示すように、これらの分類条件（３）（４）においては、紙幣と硬貨の投入は想定されておらず、商品券が種別毎に分類されて収納される。
【０１３３】
具体的には、分類条件（３）では、収納部５３に装着されたカセット１に対応する第３の集積部４３に、自社発行の商品券Ａが搬送されていき、もう一つの収納部５４に装着されたカセット２に対応する第４の集積部４４に、他社（例えばクレジット会社）発行の商品券Ｂ、Ｃ（、Ｄ・・・）が搬送されていく。
【０１３４】
ここで、図９に示すように、自社発行の商品券Ａについては、搬送の途中で消し込み部７５による無効化処理が実施され、他社発行の商品券Ｂ、Ｃ（、Ｄ・・・）については、消し込み部７５による無効化処理は実施されない。また、当該分類条件（３）では、識別部２０が、貨幣管理装置１００のカレンダー機能を用いて、各商品券が有効期限内であるか否かも判別し、有効期限内でない商品券（無効な商品券）についてはリジェクト商品券と識別するようになっている。
【０１３５】
識別部２０によってリジェクト商品券と識別された紙葉類は、第１の集積部４１であるリジェクト部に送られるようになっている。分類条件（３）では、第２の集積部４２であるスタッカ部は使用されないが、第２の集積部４２にある種別の商品券を集積させる態様も採用可能である。
【０１３６】
次に、図１０を参照しながら、分類条件（３）に基づく貨幣処理のフローの前半を説明する。図１０は、分類条件（３）に対応する集積状況を示す図である。
【０１３７】
（ステップＳ３０１）予め、記憶部８０に、前記した分類条件（３）が記憶される。
【０１３８】
（ステップＳ３０２）また、予め、記憶部８０に、分類条件（３）に対応する回収条件が記憶される。本実施の形態では、全ての商品券が売上金として警送業者によって回収されることを想定し、回収条件は、警送業者が収容された商品券の回収を許可しているという条件とされている。具体的には、警送業者所属の操作者が保有するＩＣカードがＩＣカードリーダ７１を介して読み取られることが、回収条件とされている。（この回収条件が満たされた時に、ロック制御部６５は全てのロック機構６３、６４、１６２、１６３、１６５を解除するようになっている。）
【０１３９】
（ステップＳ３０３）また、予め、分類条件（３）に対応する処理モードとして、紙葉類として商品券を処理する商品券処理モードが選択され、その情報が記憶部８０に記憶される。
【０１４０】
（ステップＳ３０４）また、予め、記憶部８０に、商品券Ａに対して無効化処理の実施有りという対応付け、更には、商品券Ａに対する無効化処理の内容（印字内容や印字位置）も記憶される。
【０１４１】
（ステップＳ３１１）以上の状態で、商品券が投入部１０に投入される。
【０１４２】
（ステップＳ３１２）投入された商品券の各々は、識別部２０によって識別される。この時、商品券処理モードに従って、商品券の搬送速度は、１２００ｍｍ／ｓｅｃに制御され、識別部２０による商品券の読取速度は、５〜７枚／ｓｅｃとされる。識別部２０は、貨幣管理装置１００のカレンダー機能を用いて各商品券が有効期限内であるか否かも判別し、有効期限内でない商品券（無効な商品券）についてはリジェクト商品券と識別する。
【０１４３】
（ステップＳ３１３）識別された商品券は、搬送分類機構３０によって分類条件（３）に従って、リジェクト商品券であれば第１の集積部４１（紙葉類リジェクト部）に搬送され、自社発行の商品券Ａであれば第３の集積部４３（一方の紙葉類一時保留部）に搬送され、他社発行の商品券Ｂ、Ｃ（、Ｄ・・・）であれば第４の集積部４４（他方の紙葉類一時保留部）に搬送されていく。この時、商品券処理モードに従って、商品券の搬送速度は、１２００ｍｍ／ｓｅｃに制御される。また、商品券Ａについては、搬送の途中で、消し込み部７５による無効化処理が実施される。この無効化処理の内容（印字内容や印字位置）は、商品券Ａのために予め記憶部８０に記憶されていた通りに行われる。
【０１４４】
（ステップＳ３１４）第１の集積部４１（紙葉類リジェクト部）、第３の集積部４３（一方の紙葉類一時保留部）または第４の集積部４４（他方の紙葉類一時保留部）に搬送された各商品券は、そこで一時的に集積される。
【０１４５】
（ステップＳ３１５）第３の集積部４３に集積された商品券は、適宜のタイミングで（一般には、操作者による承認がなされた後で）、対応する収納部５３に収納される。すなわち、収納部５３に装着されたカセット１内に収納される。同様に、第４の集積部４４に集積された商品券は、適宜のタイミングで（一般には、操作者による承認がなされた後で）、対応する収納部５４に収納される。すなわち、収納部５４に装着されたカセット２内に収納される。
【０１４６】
以上のようなフローにより、売上金として回収予定の商品券が種別毎にカセット１、２に装填されていく、という制御を実現することができる。また、無効化処理を直ちに実施するべき商品券Ａと、そうでない商品券Ｂ、Ｃ（、Ｄ・・・）とが混在している場合において、無効化処理の実施を自動的に好適に実現することができる。
【０１４７】
続いて、図１１を参照しながら、分類条件（３）に基づく貨幣処理のフローの後半を説明する。図１１は、分類条件（３）に対応する回収状況を示す図である。
【０１４８】
（ステップＳ３６１）回収作業を行おうとする操作者のＩＣカードが、ＩＣカードリーダ７１を介して読み取られる。
【０１４９】
（ステップＳ３６２）ＩＣカードリーダ７１を介して読み取られたＩＣカードが、警送業者所属の操作者が保有するＩＣカードであると判別されると、ロック制御部６５が全てのロック機構６３、６４、１６２、１６３、１６５を解除する。
【０１５０】
（ステップＳ３６３）ロック制御部６５がロック機構１６５を解除すると、収納部５３、５４及び硬貨収納部１５２、１５３を貨幣処理装置１００の前方に引き出すことが可能となる。
【０１５１】
（ステップＳ３６４）この状態で、回収作業を行おうとする操作者は、収納部５３、５４及び硬貨収納部１５２、１５３を貨幣処理装置１００の前方に引き出して、ロック機構６３、６４が解除された各収納部５３、５４からカセットを回収し、代わりに空のカセットを装着する。
【０１５２】
（ステップＳ３６５）収納部５３、５４及び硬貨収納部１５２、１５３が貨幣処理装置１００の前方から元に戻されると、全体のロック機構１６５と各ロック機構６３、６４、１６２、１６３が再びロックされる。
【０１５３】
以上のようなフローにより、警送業者所属の操作者によってのみ収納された商品券を回収させることを、確実に実現することが可能である。
【０１５４】
次に、分類条件（３）に対して代替的に採用することができる分類条件（４）についての詳細を説明する。分類条件（４）では、図９に示すように、収納部５３に装着されたカセット１に対応する第３の集積部４３に、当該店舗で直ちに回収予定の商品券が搬送されていき、もう一つの収納部５４に装着されたカセット２に対応する第４の集積部４４に、売上金として別の管理センター等で回収予定の商品券が搬送されていく。
【０１５５】
ここで、分類条件（３）と同様に、自社発行の商品券Ａについては、搬送の途中で消し込み部７５による無効化処理が実施され、他社発行の商品券Ｂ、Ｃ（、Ｄ・・・）については、消し込み部７５による無効化処理は実施されない。また、識別部２０が、貨幣管理装置１００のカレンダー機能を用いて、各商品券が有効期限内であるか否かも判別し、有効期限内でない商品券（無効な商品券）についてはリジェクト商品券と識別する。
【０１５６】
識別部２０によってリジェクト紙幣と識別された紙葉類は、第１の集積部４１である紙葉類リジェクト部に送られるようになっている。分類条件（４）でも、第２の集積部４２である紙葉類スタッカ部は使用されない。
【０１５７】
図１０を参照しながら、分類条件（４）に基づく貨幣処理のフローの前半を説明する。図１０は、分類条件（４）に対応する集積状況を示す図としても見ることができる。
【０１５８】
（ステップＳ４０１）予め、記憶部８０に、前記した分類条件（４）が記憶される。
【０１５９】
（ステップＳ４０２）また、予め、記憶部８０に、分類条件（４）に対応する回収条件が記憶される。本実施の形態の回収条件は、収納部５３に対しては、当該貨幣処理装置１００が設置されている店舗が回収を許可しているという条件とされ、他の収納部５４に対しては、警送業者が回収を許可しているという条件とされている。具体的には、収納部５３に対しては、店舗所属の操作者が保有するＩＣカードがＩＣカードリーダ７１を介して読み取られることが、回収条件とされており、他の収納部５４に対しては、警送業者所属の操作者が保有するＩＣカードがＩＣカードリーダ７１を介して読み取られることが、回収条件とされている。（各回収条件が満たされた時に、ロック制御部６５は、対応するロック機構６３、または、ロック機構６４を解除するようになっている。）
【０１６０】
（ステップＳ４０３）また、予め、分類条件（４）に対応する処理モードとして、紙葉類として商品券を処理する商品券処理モードが選択され、その情報が記憶部８０に記憶される。
【０１６１】
（ステップＳ４０４）また、予め、記憶部８０に、商品券Ａに対して無効化処理の実施有りという対応付け、更には、商品券Ａに対する無効化処理の内容（印字内容や印字位置）も記憶される。
【０１６２】
（ステップＳ４１１）以上の状態で、商品券が投入部１０に投入される。
【０１６３】
（ステップＳ４１２）投入された商品券の各々は、識別部２０によって識別される。この時、商品券処理モードに従って、商品券の搬送速度は、１２００ｍｍ／ｓｅｃに制御され、識別部２０による商品券の読取速度は、５〜７枚／ｓｅｃとされる。識別部２０は、貨幣管理装置１００のカレンダー機能を用いて各商品券が有効期限内であるか否かも判別し、有効期限内でない商品券（無効な商品券）についてはリジェクト商品券と識別する。
【０１６４】
（ステップＳ４１３）識別された商品券は、搬送分類機構３０によって分類条件（４）に従って、リジェクト商品券であれば第１の集積部４１（紙葉類リジェクト部）に搬送され、自社発行の商品券Ａであれば第３の集積部４３（一方の紙葉類一時保留部）に搬送され、他社発行の商品券Ｂ、Ｃ（、Ｄ・・・）であれば第４の集積部４４（他方の紙葉類一時保留部）に搬送されていく。この時、商品券処理モードに従って、商品券の搬送速度は、１２００ｍｍ／ｓｅｃに制御される。商品券の搬送速度は、紙幣の搬送速度ほど速くはない。これは、商品券と紙幣との識別速度の差や、商品券と紙幣とのサイズないし厚みの差に対応する搬送用モータの制約に基づく。また、商品券Ａについては、搬送の途中で、消し込み部７５による無効化処理が実施される。この無効化処理の内容（印字内容や印字位置）は、商品券Ａのために予め記憶部８０に記憶されていた通りに行われる。
【０１６５】
（ステップＳ４１４）第１の集積部４１（紙葉類リジェクト部）、第３の集積部４３（一方の紙葉類一時保留部）または第４の集積部４４（他方の紙葉類一時保留部）に搬送された各商品券は、そこで一時的に集積される。
【０１６６】
（ステップＳ４１５）第３の集積部４３に集積された商品券は、適宜のタイミングで（一般には、操作者による承認がなされた後で）、対応する収納部５３に収納される。すなわち、収納部５３に装着されたカセット１内に収納される。同様に、第４の集積部４４に集積された商品券は、適宜のタイミングで（一般には、操作者による承認がなされた後で）、対応する収納部５４に収納される。すなわち、収納部５４に装着されたカセット２内に収納される。
【０１６７】
以上のようなフローにより、店舗で直ちに回収予定の商品券と、別の管理センター等で回収予定の商品券とが、カセット１、２に分類されて装填されていく、という制御を実現することができる。また、店舗で直ちに回収予定の商品券Ａにのみ無効化処理を実施する、という制御を実現することができる。
【０１６８】
続いて、図１２を参照しながら、分類条件（４）に基づく貨幣処理のフローの後半を説明する。図１２は、分類条件（４）に対応する回収状況を示す図である。
【０１６９】
（ステップＳ４６１）回収作業を行おうとする操作者のＩＣカードが、ＩＣカードリーダ７１を介して読み取られる。
【０１７０】
（ステップＳ４６２）ＩＣカードリーダ７１を介して読み取られたＩＣカードが、店舗所属の操作者が保有するＩＣカードであると判別されると、ロック制御部６５が収納部５３に対応するロック機構６３を解除する。
【０１７１】
（ステップＳ４６３）ロック制御部６５が収納部５３に対応するロック機構６３を解除したことが条件となって、収納部５３、５４及び硬貨収納部１５２、１５３の全体のロック機構１６５が解除され、収納部５３、５４及び硬貨収納部１５２、１５３を貨幣処理装置１００の前方に引き出すことが可能となる。
【０１７２】
（ステップＳ４６４）この状態で、回収作業を行おうとする操作者は、収納部５３、５４及び硬貨収納部１５２、１５３を貨幣処理装置１００の前方に引き出して、ロック機構６３が解除された収納部５３からカセットを回収し、代わりに空のカセットを装着する。
【０１７３】
（ステップＳ４６５）収納部５３、５４及び硬貨収納部１５２、１５３が貨幣処理装置１００の前方から元に戻されると、全体のロック機構１６５と収納部５３に対応するロック機構６３とが再びロックされる。
【０１７４】
以上のようなフローにより、店舗所属の操作者によってのみ店舗で直ちに回収予定の商品券を回収させることを、確実に実現することが可能である。
【０１７５】
これに対して、別の管理センター等で回収予定の商品券の回収は、以下のようなフローに従って行われる。最初に（ステップＳ４６１）が実施され、その後、以下のフローが続く。
【０１７６】
（ステップＳ４７２）ＩＣカードリーダ７１を介して読み取られたＩＣカードが、警送業者所属の操作者が保有するＩＣカードであると判別されると、ロック制御部６５が収納部５４に対応するロック機構６４を解除する。
【０１７７】
（ステップＳ４７３）ロック制御部６５が収納部５４に対応するロック機構６４を解除をしたことが条件となって、収納部５３、５４及び硬貨収納部１５２、１５３の全体のロック機構１６５が解除され、収納部５３、５４及び硬貨収納部１５２、１５３を貨幣処理装置１００の前方に引き出すことが可能となる。
【０１７８】
（ステップＳ４７４）この状態で、回収作業を行おうとする操作者は、収納部５３、５４及び硬貨収納部１５２、１５３を貨幣処理装置１００の前方に引き出して、ロック機構６４が解除された収納部５４からカセットを回収し、代わりに空のカセットを装着する。
【０１７９】
（ステップＳ４７５）収納部５３、５４及び硬貨収納部１５２、１５３が貨幣処理装置１００の前方から元に戻されると、全体のロック機構１６５と収納部５４に対応するロック機構６４とが再びロックされる。
【０１８０】
以上のようなフローにより、警送業者所属の操作者によってのみ別の管理センター等で回収予定の商品券を回収させることを、確実に実現することが可能である。
【０１８１】
以上のような態様によれば、別の管理センター等で回収予定の商品券については警送業者による回収作業が可能である一方、店舗で直ちに回収予定の商品券については店舗による回収作業（自店処理）が可能となり、回収作業の効率が顕著に向上される。
【０１８２】
次に、紙幣、硬貨及び商品券を処理する場合の分類条件（５）（６）について説明する。図１３に示すように、これらの分類条件（５）（６）においては、紙幣と硬貨と商品券の混合投入が想定されている。
【０１８３】
具体的には、分類条件（５）では、収納部５３に装着されたカセット１に対応する第３の集積部４３に、売上金として回収予定の商品券が搬送されていき、もう一つの収納部５４に装着されたカセット２に対応する第４の集積部４４に、売上金として回収予定の紙幣が搬送されていく。
【０１８４】
ここで、図１３に示すように、商品券については、搬送の途中で消し込み部７５による無効化処理が実施される。もっとも、当該分類条件（５）では、識別部２０が、貨幣管理装置１００のカレンダー機能を用いて、各商品券が有効期限内であるか否かも判別し、有効期限内でない商品券（無効な商品券）についてはリジェクト商品券と識別するようになっている。
【０１８５】
識別部２０によってリジェクト紙幣ないしリジェクト商品券と識別された紙葉類は、第１の集積部４１である紙葉類リジェクト部に送られるようになっている。分類条件（１）では、第２の集積部４２である紙葉類スタッカ部は使用されないが、第２の集積部４２にある種別の商品券を分類して集積させる態様も採用可能である。
【０１８６】
硬貨については、分類条件（１）と同じく、硬貨収納部１５２に装着されたカセット１に対応する第２の硬貨集積部１４２に、売上金として回収予定の硬貨が搬送されていき、硬貨収納部１５２に装着されたカセット１がフル状態になる時に、もう一つの硬貨収納部１５３に装着されたカセット２に対応する第３の硬貨集積部１４３に、売上金として回収予定の硬貨が搬送されていく。識別部２０によってリジェクト硬貨と識別された硬貨は、第１の集積部１４１である硬貨リジェクト部に送られるようになっている。
【０１８７】
図１４を参照しながら、分類条件（５）に基づく貨幣処理のフローの前半を説明する。図１４は、分類条件（５）に対応する集積状況を示す図である。
【０１８８】
（ステップＳ５０１）予め、記憶部８０に、前記した分類条件（５）が記憶される。
【０１８９】
（ステップＳ５０２）また、予め、記憶部８０に、分類条件（５）に対応する回収条件が記憶される。本実施の形態では、全ての商品券／紙幣／硬貨が売上金として警送業者によって回収されることを想定し、回収条件は、警送業者が収容された商品券／紙幣／硬貨の回収を許可しているという条件とされている。具体的には、警送業者所属の操作者が保有するＩＣカードがＩＣカードリーダ７１を介して読み取られることが、回収条件とされている。（この回収条件が満たされた時に、ロック制御部６５は全てのロック機構６３、６４、１６２、１６３、１６５を解除するようになっている。）
【０１９０】
（ステップＳ５０３）また、予め、分類条件（５）に対応する処理モードとして、紙葉類として紙幣及び商品券を処理する混在処理モードが選択され、その情報が記憶部８０に記憶される。
【０１９１】
（ステップＳ５０４）また、予め、記憶部８０に、商品券に対して無効化処理の実施有りという対応付け、更には、商品券に対する無効化処理の内容（印字内容や印字位置）も記憶される。
【０１９２】
（ステップＳ５１１）以上の状態で、紙葉類が投入部１０に投入される。
【０１９３】
（ステップＳ５１２）投入された紙葉類の各々は、識別部２０によって識別される。この時、混在処理モードに従って、紙葉類の搬送速度は、１２００ｍｍ／ｓｅｃに制御され、識別部２０による紙幣の読取速度は、５〜７枚／ｓｅｃとされる。識別部２０は、貨幣管理装置１００のカレンダー機能を用いて各商品券が有効期限内であるか否かも判別し、有効期限内でない商品券（無効な商品券）についてはリジェクト商品券と識別する。
【０１９４】
（ステップＳ５１３）識別された紙葉類は、搬送分類機構３０によって分類条件（５）に従って、リジェクト紙幣であれば第１の集積部４１（紙葉類リジェクト部）に搬送され、商品券であれば第３の集積部４３（一方の紙葉類一時保留部）に搬送され、紙幣であれば第４の集積部４４（他方の紙葉類一時保留部）に搬送される。この時、混在処理モードに従って、紙葉類の搬送速度は、１２００ｍｍ／ｓｅｃに制御される。また、商品券については、搬送の途中で、消し込み部７５による無効化処理が実施される。この無効化処理の内容（印字内容や印字位置）は、商品券のために予め記憶部８０に記憶されていた通りに行われる。
【０１９５】
（ステップＳ５１４）第１の集積部４１（紙葉類リジェクト部）、第３の集積部４３（一方の紙葉類一時保留部）または第４の集積部４４（他方の紙葉類一時保留部）に搬送された各紙葉類は、そこで一時的に集積される。
【０１９６】
（ステップＳ５１５）第３の集積部４３に集積された商品券は、適宜のタイミングで（一般には、操作者による承認がなされた後で）、対応する収納部５３に収納される。すなわち、収納部５３に装着されたカセット１内に収納される。また、第４の集積部４４に集積された紙幣は、適宜のタイミングで（一般には、操作者による承認がなされた後で）、対応する収納部５４に収納される。すなわち、収納部５４に装着されたカセット２内に収納される。
【０１９７】
以上のようなフローにより、売上金として回収予定の商品券がカセット１に装填されていき、売上金として回収予定の紙幣がカセット２に装填されていく、という制御を実現することができる。すなわち、複数設けられた紙葉類の収納部５３、５４を利用して、紙幣と商品券とが混在している場合において、紙幣と商品券とを分けて収納することを実現することができる。特に、本実施の形態の貨幣処理装置１００の搬送分類機構３０によれば、商品券の搬送と紙幣の搬送との間で機構的な調整が不要である。具体的には、本実施の形態の搬送分類機構３０のゲート部は、接触式になっていて、紙葉類の厚みの相違を吸収できるようになっている。
【０１９８】
変形例として、紙幣／商品券の分別の代わりに、紙幣を金種毎に収納したり、商品券を種類毎に収納したり、といったことも実現可能である。
【０１９９】
硬貨については、最初に（ステップＳ５０１）及び（ステップＳ５０２）が実施され、その後、以下のフローが続く。
【０２００】
（ステップＳ５３１）硬貨が硬貨投入部１１０に投入される。
【０２０１】
（ステップＳ５３２）投入された硬貨の各々は、硬貨識別部１２０によって識別される。
【０２０２】
（ステップＳ５３３）識別された硬貨は、硬貨搬送分類機構１３０によって分類条件（５）に従って、リジェクト硬貨であれば第１の硬貨集積部１４１（硬貨リジェクト部）に搬送され、正常硬貨であれば第２の硬貨集積部１４２（一方の硬貨一時保留部）に搬送される。
【０２０３】
（ステップＳ５３４）第１の硬貨集積部１４１（硬貨リジェクト部）または第２の硬貨集積部１４２（一方の硬貨一時保留部）に搬送された各硬貨は、そこで一時的に集積される。
【０２０４】
（ステップＳ５３５）第２の硬貨集積部１４２に集積された硬貨は、適宜のタイミングで（一般には、操作者による承認がなされた後で）、対応する硬貨収納部１５２に収納される。すなわち、硬貨収納部１５２に装着されたカセット１内に収納される。
【０２０５】
（ステップＳ５４０）硬貨識別部１２０による識別結果をカウントすることで所定の枚数の正常硬貨がカセット１に収納されることが見込まれると、分類条件（５）に従って、硬貨搬送分類機構１３０による制御態様が変更される。具体的には、硬貨制御部１３６において、識別された硬貨が正常硬貨である場合について、それまでの第２の硬貨集積部１４２への搬送制御が、第３の硬貨集積部１４３への搬送制御に切り換えられる。
【０２０６】
（ステップＳ５４１、Ｓ５４２）前記搬送制御の切り換え後、硬貨投入部１１０に投入された硬貨の各々は、同様に硬貨識別部１２０によって識別される。
【０２０７】
（ステップＳ５４３）識別された硬貨は、硬貨搬送分類機構１３０によって分類条件（５）に従って、リジェクト硬貨であれば第１の硬貨集積部１４１（硬貨リジェクト部）に搬送され、正常硬貨であれば、今度は第３の硬貨集積部１４３（一方の硬貨一時保留部）に搬送される。
【０２０８】
（ステップＳ５４４）第１の硬貨集積部１４１（硬貨リジェクト部）または第３の硬貨集積部１４２（一方の硬貨一時保留部）に搬送された各硬貨は、そこで一時的に集積される。
【０２０９】
（ステップＳ５４５）第３の集積部１４３に集積された硬貨は、適宜のタイミングで（一般には、操作者による承認がなされた後で）、対応する硬貨収納部１５３に収納される。すなわち、硬貨収納部１５３に装着されたカセット２内に収納される。
【０２１０】
以上のようなフローにより、売上金として回収予定の硬貨が先ずは硬貨収納部１５２に装着されたカセット１に装填されていき、当該カセット１がフル状態になった後に、もう一つの硬貨収納部１５３に装着されたカセット２に装填されていく、という制御を実現することができる。
【０２１１】
そして、後述する回収作業によりカセット１の回収が行われることにより、その後、カセット２がフル状態になった後に、新たに装着されたカセット１に正常紙幣が搬送されていく、という制御を実現することができる。
【０２１２】
続いて、図１５を参照しながら、分類条件（５）に基づく貨幣処理のフローの後半を説明する。図１５は、分類条件（５）に対応する回収状況を示す図である。
【０２１３】
（ステップＳ５６１）回収作業を行おうとする操作者のＩＣカードが、ＩＣカードリーダ７１を介して読み取られる。
【０２１４】
（ステップＳ５６２）ＩＣカードリーダ７１を介して読み取られたＩＣカードが、警送業者所属の操作者が保有するＩＣカードであると判別されると、ロック制御部６５が全てのロック機構６３、６４、１６２、１６３、１６５を解除する。
【０２１５】
（ステップＳ５６３）ロック制御部６５がロック機構１６５を解除すると、収納部５３、５４及び硬貨収納部１５２、１５３を貨幣処理装置１００の前方に引き出すことが可能となる。
【０２１６】
（ステップＳ５６４）この状態で、回収作業を行おうとする操作者は、収納部５３、５４及び硬貨収納部１５２、１５３を貨幣処理装置１００の前方に引き出して、ロック機構６３、６４、１６２、１６３が解除された各収納部５３、５４及び各硬貨収納部１５２、１５３からカセットを回収し、代わりに空のカセットを装着する。もっとも、カセットの空容量が未だ十分にある場合には、操作者の裁量で空のカセットへの交換を行わないという選択も採用可能である。
【０２１７】
（ステップＳ５６５）収納部５３、５４及び硬貨収納部１５２、１５３が貨幣処理装置１００の前方から元に戻されると、全体のロック機構１６５と各ロック機構６３、６４、１６２、１６３が再びロックされる。
【０２１８】
（ステップＳ５６６）交換されたカセットの情報が例えば表示・操作部７２を介して入力されると、当該情報に基づいて紙幣／硬貨／商品券の収納枚数のカウント情報が適宜に補正される。具体的には、対応する集積部（一時保留部）に紙幣／硬貨／商品券が既に一時的に集積されている場合には、当該紙幣／硬貨／商品券からのカウント値に補正され、対応する集積部（一時保留部）に紙幣／硬貨／商品券が未だ集積されていない場合には、ゼロに補正される。
【０２１９】
以上のようなフローにより、警送業者所属の操作者によってのみ収納された商品券、紙幣及び硬貨を回収させることを、確実に実現することが可能である。
【０２２０】
次に、分類条件（５）に対して代替的に採用することができる分類条件（６）についての詳細を説明する。分類条件（６）では、図１３に示すように、収納部５３に装着されたカセット１に対応する第３の集積部４３に、当該店舗にて直ちに回収予定の商品券が搬送されていき、もう一つの収納部５４に装着されたカセット２に対応する第４の集積部４４に、売上金として回収予定の紙幣が搬送されていく。
【０２２１】
ここで、図１３に示すように、商品券については、搬送の途中で消し込み部７５による無効化処理が実施される。もっとも、当該分類条件（６）でも、識別部２０が、貨幣管理装置１００のカレンダー機能を用いて、各商品券が有効期限内であるか否かも判別し、有効期限内でない商品券（無効な商品券）についてはリジェクト商品券と識別するようになっている。
【０２２２】
識別部２０によってリジェクト紙幣ないしリジェクト商品券と識別された紙葉類は、第１の集積部４１である紙葉類リジェクト部に送られるようになっている。分類条件（６）では、第２の集積部４２である紙葉類スタッカ部は使用されないが、第２の集積部４２にある種別の商品券を分類して集積させる態様も採用可能である。
【０２２３】
硬貨については、分類条件（１）、（５）と同じく、硬貨収納部１５２に装着されたカセット１に対応する第２の硬貨集積部１４２に、売上金として回収予定の硬貨が搬送されていき、硬貨収納部１５２に装着されたカセット１がフル状態になる時に、もう一つの硬貨収納部１５３に装着されたカセット２に対応する第３の硬貨集積部１４３に、売上金として回収予定の硬貨が搬送されていく。識別部２０によってリジェクト硬貨と識別された硬貨は、第１の集積部１４１である硬貨リジェクト部に送られるようになっている。
【０２２４】
図１４を参照しながら、分類条件（６）に基づく貨幣処理のフローの前半を説明する。図１４は、分類条件（６）に対応する集積状況を示す図としても見ることができる。
【０２２５】
（ステップＳ６０１）予め、記憶部８０に、前記した分類条件（６）が記憶される。
【０２２６】
（ステップＳ６０２）また、予め、記憶部８０に、分類条件（６）に対応する回収条件が記憶される。本実施の形態の回収条件は、収納部５３に対しては、当該貨幣処理装置１００が設置されている店舗が回収を許可しているという条件とされ、他の収納部５４、硬貨収納部１５２、１５３に対しては、警送業者が回収を許可しているという条件とされている。具体的には、収納部５３に対しては、店舗所属の操作者が保有するＩＣカードがＩＣカードリーダ７１を介して読み取られることが、回収条件とされており、他の収納部５４及び硬貨収納部１５２、１５３に対しては、警送業者所属の操作者が保有するＩＣカードがＩＣカードリーダ７１を介して読み取られることが、回収条件とされている。（各回収条件が満たされた時に、ロック制御部６５は、対応するロック機構６３、または、ロック機構６４、１６２、１６３を解除するようになっている。）
【０２２７】
（ステップＳ６０３）また、予め、分類条件（６）に対応する処理モードとして、紙葉類として紙幣及び商品券を処理する混在処理モードが選択され、その情報が記憶部８０に記憶される。
【０２２８】
（ステップＳ６０４）また、予め、記憶部８０に、商品券に対して無効化処理の実施有りという対応付け、更には、商品券に対する無効化処理の内容（印字内容や印字位置）も記憶される。
【０２２９】
（ステップＳ６１１）以上の状態で、紙葉類が投入部１０に投入される。
【０２３０】
（ステップＳ６１２）投入された紙葉類の各々は、識別部２０によって識別される。この時、混在処理モードに従って、紙葉類の搬送速度は、１２００ｍｍ／ｓｅｃに制御され、識別部２０による紙幣の読取速度は、５〜７枚／ｓｅｃとされる。識別部２０は、貨幣管理装置１００のカレンダー機能を用いて各商品券が有効期限内であるか否かも判別し、有効期限内でない商品券（無効な商品券）についてはリジェクト商品券と識別する。
【０２３１】
（ステップＳ６１３）識別された紙葉類は、搬送分類機構３０によって分類条件（６）に従って、リジェクト紙幣であれば第１の集積部４１（紙葉類リジェクト部）に搬送され、商品券であれば第３の集積部４３（一方の紙葉類一時保留部）に搬送され、紙幣であれば第４の集積部４４（他方の紙葉類一時保留部）に搬送される。この時、混在処理モードに従って、紙葉類の搬送速度は、１２００ｍｍ／ｓｅｃに制御される。また、商品券については、搬送の途中で、消し込み部７５による無効化処理が実施される。この無効化処理の内容（印字内容や印字位置）は、商品券のために予め記憶部８０に記憶されていた通りに行われる。
【０２３２】
（ステップＳ６１４）第１の集積部４１（紙葉類リジェクト部）、第３の集積部４３（一方の紙葉類一時保留部）または第４の集積部４４（他方の紙葉類一時保留部）に搬送された各紙葉類は、そこで一時的に集積される。
【０２３３】
（ステップＳ６１５）第３の集積部４３に集積された商品券は、適宜のタイミングで（一般には、操作者による承認がなされた後で）、対応する収納部５３に収納される。すなわち、収納部５３に装着されたカセット１内に収納される。また、第４の集積部４４に集積された紙幣は、適宜のタイミングで（一般には、操作者による承認がなされた後で）、対応する収納部５４に収納される。すなわち、収納部５４に装着されたカセット２内に収納される。
【０２３４】
以上のようなフローにより、店舗にて直ちに回収予定の商品券がカセット１に装填されていき、売上金として回収予定の紙幣がカセット２に装填されていく、という制御を実現することができる。すなわち、複数設けられた紙葉類の収納部５３、５４を利用して、紙幣と商品券とが混在している場合において、紙幣と商品券とを分けて収納することを実現することができる。
【０２３５】
硬貨については、最初に（ステップＳ６０１）及び（ステップＳ６０２）が実施され、その後、以下のフローが続く。
【０２３６】
（ステップＳ６３１）硬貨が硬貨投入部１１０に投入される。
【０２３７】
（ステップＳ６３２）投入された硬貨の各々は、硬貨識別部１２０によって識別される。
【０２３８】
（ステップＳ６３３）識別された硬貨は、硬貨搬送分類機構１３０によって分類条件（６）に従って、リジェクト硬貨であれば第１の硬貨集積部１４１（硬貨リジェクト部）に搬送され、正常硬貨であれば第２の硬貨集積部１４２（一方の硬貨一時保留部）に搬送される。
【０２３９】
（ステップＳ６３４）第１の硬貨集積部１４１（硬貨リジェクト部）または第２の硬貨集積部１４２（一方の硬貨一時保留部）に搬送された各硬貨は、そこで一時的に集積される。
【０２４０】
（ステップＳ６３５）第２の硬貨集積部１４２に集積された硬貨は、適宜のタイミングで（一般には、操作者による承認がなされた後で）、対応する硬貨収納部１５２に収納される。すなわち、硬貨収納部１５２に装着されたカセット１内に収納される。
【０２４１】
（ステップＳ６４０）硬貨識別部１２０による識別結果をカウントすることで所定の枚数の正常硬貨がカセット１に収納されることが見込まれると、分類条件（６）に従って、硬貨搬送分類機構１３０による制御態様が変更される。具体的には、硬貨制御部１３６において、識別された硬貨が正常硬貨である場合について、それまでの第２の硬貨集積部１４２への搬送制御が、第３の硬貨集積部１４３への搬送制御に切り換えられる。
【０２４２】
（ステップＳ６４１、Ｓ６４２）前記搬送制御の切り換え後、硬貨投入部１１０に投入された硬貨の各々は、同様に硬貨識別部１２０によって識別される。
【０２４３】
（ステップＳ６４３）識別された硬貨は、硬貨搬送分類機構１３０によって分類条件（５）に従って、リジェクト硬貨であれば第１の硬貨集積部１４１（硬貨リジェクト部）に搬送され、正常硬貨であれば、今度は第３の硬貨集積部１４３（他方の硬貨一時保留部）に搬送される。
【０２４４】
（ステップＳ６４４）第１の硬貨集積部１４１（硬貨リジェクト部）または第３の硬貨集積部１４３（他方の硬貨一時保留部）に搬送された各硬貨は、そこで一時的に集積される。
【０２４５】
（ステップＳ６４５）第３の集積部１４３に集積された硬貨は、適宜のタイミングで（一般には、操作者による承認がなされた後で）、対応する硬貨収納部１５３に収納される。すなわち、硬貨収納部１５３に装着されたカセット２内に収納される。
【０２４６】
以上のようなフローにより、売上金として回収予定の硬貨が先ずは硬貨収納部１５２に装着されたカセット１に装填されていき、当該カセット１がフル状態になった後に、もう一つの硬貨収納部１５３に装着されたカセット２に装填されていく、という制御を実現することができる。
【０２４７】
そして、後述する回収作業によりカセット１の回収が行われることにより、その後、カセット２がフル状態になった後に、新たに装着されたカセット１に正常紙幣が搬送されていく、という制御を実現することができる。
【０２４８】
続いて、図１６を参照しながら、分類条件（６）に基づく貨幣処理のフローの後半を説明する。図１６は、分類条件（６）に対応する回収状況を示す図である。
【０２４９】
（ステップＳ６６１）回収作業を行おうとする操作者のＩＣカードが、ＩＣカードリーダ７１を介して読み取られる。
【０２５０】
（ステップＳ６６２）ＩＣカードリーダ７１を介して読み取られたＩＣカードが、店舗所属の操作者が保有するＩＣカードであると判別されると、ロック制御部６５が収納部５３に対応するロック機構６３を解除する。
【０２５１】
（ステップＳ６６３）ロック制御部６５が収納部５３に対応するロック機構６３を解除したことが条件となって、収納部５３、５４及び硬貨収納部１５２、１５３の全体のロック機構１６５が解除され、収納部５３、５４及び硬貨収納部１５２、１５３を貨幣処理装置１００の前方に引き出すことが可能となる。
【０２５２】
（ステップＳ６６４）この状態で、回収作業を行おうとする操作者は、収納部５３、５４及び硬貨収納部１５２、１５３を貨幣処理装置１００の前方に引き出して、ロック機構６３が解除された収納部５３からカセットを回収し、代わりに空のカセットを装着する。
【０２５３】
（ステップＳ６６５）収納部５３、５４及び硬貨収納部１５２、１５３が貨幣処理装置１００の前方から元に戻されると、全体のロック機構１６５と収納部５３に対応するロック機構６３が再びロックされる。
【０２５４】
以上のようなフローにより、店舗所属の操作者によってのみ当該店舗にて直ちに回収予定の商品券を回収させることを、確実に実現することが可能である。
【０２５５】
これに対して、売上金としての紙幣及び硬貨の回収は、以下のようなフローに従って行われる。最初に（ステップＳ６６１）が実施され、その後、以下のフローが続く。
【０２５６】
（ステップＳ６７２）ＩＣカードリーダ７１を介して読み取られたＩＣカードが、警送業者所属の操作者が保有するＩＣカードであると判別されると、ロック制御部６５が収納部５４及び硬貨収納部１５２、１５３に対応するロック機構６４、１６２、１６３を解除する。
【０２５７】
（ステップＳ６７３）ロック制御部６５が収納部５４及び硬貨収納部１５２、１５３に対応するロック機構６４、１６２、１６３を解除したことが条件となって、収納部５３、５４及び硬貨収納部１５２、１５３の全体のロック機構１６５が解除され、収納部５３、５４及び硬貨収納部１５２、１５３を貨幣処理装置１００の前方に引き出すことが可能となる。
【０２５８】
（ステップＳ６７４）この状態で、回収作業を行おうとする操作者は、収納部５３、５４及び硬貨収納部１５２、１５３を貨幣処理装置１００の前方に引き出して、ロック機構６４、１６２、１６３が解除された収納部５４及び硬貨収納部１５２、１５３からカセットを回収し、代わりに空のカセットを装着する。
【０２５９】
（ステップＳ６７５）収納部５３、５４及び硬貨収納部１５２、１５３が貨幣処理装置１００の前方から元に戻されると、全体のロック機構１６５と各ロック機構６４、１６２、１６３が再びロックされる。
【０２６０】
以上のようなフローにより、警送業者所属の操作者によってのみ売上金として収納された紙幣及び硬貨を回収させることを、確実に実現することが可能である。
【０２６１】
以上のような態様によれば、回収紙幣ないし回収硬貨については警送業者による回収作業が可能である一方、店舗にて回収する商品券については店舗による回収作業が可能となり、回収作業の効率が顕著に向上される。
【０２６２】
図１７に、図１の貨幣処理装置の回収パターン例（回収権限の設定パターン例）を、纏めて示しておく。
【０２６３】
紙幣と商品券とが混在していて、それらを識別して分類する場合には、それらの識別結果に基づく計数結果が別々に表示されると便利である。そのような表示の一例を、図１８に示す。
【０２６４】
その他、本実施の形態によれば、商品券を識別して収納する際に、消し込み部７５を利用して、商品券の無効化処理を実施することができる。この場合、本実施の形態の消し込み部７５は、搬送中の商品券の上下面のいずれにも対応可能であるので、投入される商品券の表裏は問われないが、搬送中の商品券の上下面のいずれか一方にのみ対応可能である場合には、表裏が適切に対応しない態様で投入された商品券は一旦リジェクト商品券としてリジェクトされる。すなわち、消し込み部７５が、無効化処理の実施の対象である商品券について、所定面（例えば表面）にのみ無効処理を実施するようになっている場合には、識別部２０が当該商品券について裏面であるか表面であるかを識別する必要があり、無効処理にとって逆側の面が識別された商品券は分類搬送機構３０によって第１の集積部４１（紙葉類リジェクト部）に搬送される。
【０２６５】
本実施の形態では、消し込み部７５がインクジェットプリンタを有する構成（印字方式を採用する構成）であるため、無効化処理として、無効のマーク（×印やライン）の印字に加えて、処理日付や当該貨幣管理装置１００の号機番号などの印字を実施してもよい。
【０２６６】
また、消し込み部７５としては、印字方式を採用する構成に限られず、孔あけ機構によって無効化処理を実施するものや、切り込みを入れる機構によって無効化処理を実施するものであってもよい。孔あけ機構や切り込みを入れる機構が採用される場合であっても、孔あけ位置や切り込み位置との関連で、消し込み部７５は所定面（例えば表面）にのみ無効処理を実施するようになっていてよい。
【０２６７】
なお、前記実施の形態の貨幣処理装置１００は、２つの紙葉類用の収納部５３、５４と２つの硬貨用の収納部１５２、１５３とを備えていたが、それらの個数を更に増やしてもよい。この場合、分類パターンが増えて、多岐に亘る分類条件を設定することができる。具体的には、例えば、紙幣や硬貨を金種毎に収納したり、商品券をより細かく分類したり、といったことが実現可能である。
【０２６８】
分類条件や回収条件や処理モード選択結果を記憶部８０に記憶させる工程（Ｓ１０１、Ｓ１０２、Ｓ１０３、Ｓ２０１、Ｓ２０２、Ｓ２０３、Ｓ３０１、Ｓ３０２、Ｓ３０３、Ｓ４０１、Ｓ４０２、Ｓ４０３、Ｓ５０１、Ｓ５０２、Ｓ５０３、Ｓ６０１、Ｓ６０２、Ｓ６０３）は、貨幣処理装置１００の設置前に、工場において実施されてもよいし、貨幣処理装置１００の設置時に、表示・操作部７２を介して実施されてもよいし、外部Ｉ／Ｆ９５を介して外部装置（管理装置等）によって実施されてもよい。例えば、外部Ｉ／Ｆ９５を介して接続され得るバーコード読取装置によって、売上金に関するバーコード情報が印刷されたレシートの当該バーコード情報を読み取ることによって実施されてもよいし、外部Ｉ／Ｆ９５を介して接続され得るＩＣリーダによって、売上金に関するデータが記憶されたＩＣチップの当該データを読み取ることによって実施されてもよい。
【０２６９】
更に、分類条件や回収条件や処理モードは、収納部５３、５４ないし硬貨収納部１５２、１５３に装着される各カセットに設けられたカセット情報記憶部に記憶されたカセット情報に基づいて決定ないし選択されて、記憶部８０に記憶されてもよい。カセット情報記憶部は、例えばＩＣタグであり、当該ＩＣタグに記憶されたカセット情報は、ＩＣタグリーダによって読み出され得る。カセット情報記憶部は、識別スイッチ部として形成されて、当該識別スイッチ部に表現されたカセット情報がフォトセンサによって識別されてもよい。
【０２７０】
ここで、カセット情報とは、当該カセットによって収納される収納対象物の区別（売上金紙幣、釣銭準備金紙幣、店舗回収商品券、他社回収商品券、・・・）であったり、当該カセットに対してアクセス可能な操作者の区別（店舗所属の操作者／警送業者所属の操作者）等である。
【０２７１】
貨幣処理装置１００が前記のようなカセット情報記憶部の情報を読み取る構成を採用すれば、カセットの装着不良（装着忘れ）を検知することもできる。この場合、表示・操作部７２等を介して、そのような警告表示を実施することができる。さらに、その収納部ないし硬貨収納部においてカセットの装着が不要な態様で貨幣処理装置１００を稼働する場合のために、そのような確認入力を求める旨の表示を実施してもよい。例えば、操作者の指示によって、１つのカセットに複数種類の収納対象物を混合収納してもよい。この場合、例えば、「１個カセットによる縮退運用」である旨の表示が実施されることが好ましい。
【０２７２】
また、前記実施の形態の貨幣処理装置１００は、紙葉類として紙幣を処理する紙幣処理モードと、紙葉類として商品券を処理する商品券処理モードと、紙葉類として紙幣及び商品券を処理する混在処理モードと、の３つの処理モードのいずれかが選択されるようになっているが、紙葉類として紙幣を処理する紙幣処理モードと、紙葉類として商品券を処理する商品券処理モードと、の２つの処理モードのみが用意されてそれらのいずれかが選択されるようになっていてもよいし、紙葉類として紙幣を処理する紙幣処理モードと、紙葉類として紙幣及び商品券を処理する混在処理モードと、の２つの処理モードのみが用意されてそれらのいずれかが選択されるようになっていてもよい。
【０２７３】
紙幣処理モードと商品券処理モードとの２つの処理モードのいずれかが選択される場合、入金処理される最初の紙葉類、あるいは、入金処理に先だってモード選択のために投入される入金処理予定の紙葉類を投入部１０に投入し、その識別部２０による識別結果に基づいて、選択がなされてもよい。すなわち、識別部２０による識別結果が「紙幣」であれば紙幣処理モードが選択され、「商品券」であれば商品券処理モードが選択されてよい。識別部２０による識別結果が「リジェクト紙葉類」であれば、その次の紙葉類の識別結果に基づいて、選択がなされてよい。この時の搬送速度としては、遅い方の速度（１２００ｍｍ／ｓｅｃが用いられる。
【０２７４】
紙幣処理モードと混在処理モードとの２つの処理モードのいずれかが選択される場合においては、入金処理される最初の紙葉類を１０枚程度、あるいは、入金処理に先だってモード選択のために投入される入金処理予定の紙葉類を１０枚程度、投入部１０に投入し、それらの識別部２０による識別結果に基づいて、選択がなされてもよい。すなわち、識別部２０による識別結果が「紙幣」のみであれば紙幣処理モードが選択され、「商品券」が含まれていれば混在処理モードが選択されてよい。この時の搬送速度としては、遅い方の速度（１２００ｍｍ／ｓｅｃが用いられる。
【０２７５】
紙幣処理モードでは、商品券はリジェクトされ、商品券処理モードでは、紙幣はリジェクトされる。選択されている処理モードに基づいて紙葉類の処理を開始した結果、所定枚数（例えば、５枚程度）の紙葉類が連続でリジェクトされた場合（識別部２０による識別結果がリジェクト紙葉類であった場合）、処理モードの選択が誤っている可能性がある。そのような場合、処理を一旦停止させて、処理モードの確認を促す画面をタッチパネル９０に表示することが好ましい。
【０２７６】
また、図１５に示すような表示画面において、紙幣処理モードでは、商品券に関する表示部分を網掛け表示にしたり、非表示としてもよい。同様に、商品券処理モードでは、商品券に関する表示部分を網掛け表示にしたり、非表示としてもよい。
【０２７７】
なお、前記の実施の形態では、処理モードに基づいて制御されるのは、識別部２０及び搬送分類機構３０における紙葉類の搬送速度であるが、これに加えて、あるいは、これに代えて、識別部２０による識別制御の態様が切り換えられてもよい。例えば、識別に用いる画像処理方法が切り換えられてもよい。
【０２７８】
なお、本発明は、前記実施の形態に限定されるものではなく、その要旨を逸脱しない範囲で、各構成要素を変形して具体化できる。また、前記実施の形態に開示されている複数の構成要素を適宜に組み合わせることにより、様々な貨幣処理装置を形成できる。あるいは、前記実施の形態に示された全構成要素から幾つかの構成要素が削除されてもよい。
【符号の説明】
【０２７９】
１００  貨幣処理装置
１０  投入部（紙葉類ホッパ）
２０  識別部
３０  搬送分類機構
３１〜３３  切換機構
３５  搬送ベルト機構
３６  紙幣制御部
４１  第１の集積部（紙葉類リジェクト部）
４２  第２の集積部（紙葉類スタッカ部）
４２ｓ  シャッタ
４３  第３の集積部（一方の紙葉類一時保留部）
４４  第４の集積部（他方の紙葉類一時保留部）
５３、５４  収納部
６３、６４  ロック機構
６５  ロック制御部
７０  ターミナル
７１  ＩＣカードリーダ
７２  表示・操作部
７３  全体制御部
７５  消し込み部
８０  記憶部
９５  プリンタ装置
９６  Ｉ／Ｆ部
１１０  硬貨投入部（硬貨ホッパ）
１２０  硬貨識別部
１３０  硬貨搬送分類機構
１３６  硬貨制御部
１４１  第１の硬貨集積部（硬貨リジェクト部）
１４２  第２の硬貨集積部（一方の硬貨一時保留部）
１４３  第３の硬貨集積部（他方の硬貨一時保留部）
１５２、１５３  硬貨収納部
１６２、１６３、１６５  ロック機構
【図１】
2018055703.tif 000003
【図２】
2018055703.tif 000004
【図３】
2018055703.tif 000005
【図４】
2018055703.tif 000006
【図５】
2018055703.tif 000007
【図６】
2018055703.tif 000008
【図７】
2018055703.tif 000009
【図８】
2018055703.tif 000010
【図９】
2018055703.tif 000011
【図１０】
2018055703.tif 000012
【図１１】
2018055703.tif 000013
【図１２】
2018055703.tif 000014
【図１３】
2018055703.tif 000015
【図１４】
2018055703.tif 000016
【図１５】
2018055703.tif 000017
【図１６】
2018055703.tif 000018
【図１７】
2018055703.tif 000019
【図１８】
2018055703.tif 000020